(57)【要約】【課題】ライブビュー表示の視認性および連写速度を向上したシャッター装置およびデジタルカメラを提供する。【解決手段】少なくとも前記チャージ部材１９０Ｒが初期位置へ復帰作動を行うときには前記第２係合部１９０Ｑの移動を抑止位置で保持しており、前記先幕を前記第２バネ１９０Ｆの付勢力によって作動させるとき、その保持力を解除する先幕用保持手段を備える。先幕用保持手段が保持力を解除することによる先幕の露光用開口部１９０Ｄの遮蔽動作に先立ち、ＣＭＯＳイメージセンサーの最下位ラインから電荷リセットを行い、露光を行う。【選択図】図６Ｆ
2011013539.tif 000002
【特許請求の範囲】
【請求項１】
先幕と連結している第２係合部と、
露光作動時には第４バネの付勢力によって前記第２係合部を伴って作動し、前記先幕に露光作動を行わせる先幕走行部材と、
少なくとも前記先幕走行部材のチャージ作動時には前記先幕を露光作動開始位置へ作動させるための付勢力を有している第２バネと、
後幕と連結しており露光作動時には第３バネの付勢力によって作動し前記後幕に露光作動を行わせる後幕走行部材と、
セット作動時には初期位置から作動して前記先幕走行部材と前記後幕走行部材とを各々の前記ばねの付勢力に抗して作動させカメラのレリーズ時には露光作動に先立って初期位置復帰作動するチャージ部材と、
前記チャージ部材を初期位置へ復帰させるため付勢力を有している第５バネと、
少なくとも前記チャージ部材が初期位置へ復帰作動を行うときには前記先幕走行部材をチャージ位置で保持しており、前記先幕を前記第４バネの付勢力によって作動させるとき、その保持力を解除する先幕用保持手段と、
少なくとも前記チャージ部材が初期位置へ復帰作動を行うときには前記後幕走行部材をチャージ位置で保持しており、前記後幕を前記第３バネの付勢力によって作動させるとき、その保持力を解除する後幕用保持手段と、
抑止部を備えており前記チャージ部材に連動して往復回転させられ、前記チャージ部材がチャージ位置にあるときには露光用開口部を全開状態にしておくために前記第２係合部に前記抑止部が接触して前記第２係合部の露光作動開始位置への移動を抑止し前記チャージ部材の初期位置への復帰作動に伴ってその抑止を解く抑止部材を備えており、少なくとも前記チャージ部材が初期位置へ復帰作動を行うときには前記第２係合部の移動を抑止位置で保持しており、前記先幕を前記第２バネの付勢力によって作動させるとき、その保持力を解除する先幕用保持手段とを備えるシャッター装置。
【請求項２】
請求項１記載のシャッター装置を備えたデジタルカメラであって、
前記露光用開口部を通して被写体からの光を受光して画像データを生成する撮像手段と、
前記撮像手段および前記シャッター装置の動作を制御する制御手段とを備え、
前記制御手段は、前記先幕の作動タイミングに先立って前記撮像手段における先幕側のラインから順次先幕の作動速度に合わせて電荷をリセットすることで露光を開始させ、前記先幕の作動による前記露光用開口部の遮蔽により露光を終了させるように制御するデジタルカメラ。
【発明の詳細な説明】
【技術分野】
【０００１】
本発明は、デジタルカメラ用のシャッター装置およびこれを備えたデジタルカメラに関する。
【背景技術】
【０００２】
特許文献１は、従来のデジタルカメラ用シャッター装置を開示している。この従来のシャッター装置はフォーカルプレーンシャッターであり、先幕を連結している先幕駆動部材と、露光作動時に駆動ばねによって駆動させられる先幕走行部材とを備えている。撮像前のチャージ動作時には、チャージ部材が先幕駆動部材を露光作動の終了位置近傍で抑止しておき、先幕走行部材だけをチャージ位置へ移動させる。この状態では後幕のみが露光作動開始位置に位置しており、被写体光を撮像素子の撮像面に当てることができるため、いわゆるライブビュー表示が可能な状態となっている。その後、レリーズ釦が押されてチャージ部材が初期位置へ復帰するとき、チャージ部材がその抑止を解き、先幕駆動部材と先幕とを、チャージばねの付勢力によって露光作動開始位置へ移動し得るようにしている。このようにすることで、撮像面に結像した被写体像を表示部に表示するライブビュー機能を実現することができる。
【先行技術文献】
【特許文献】
【０００３】
【特許文献１】特開２００１−２２２０５９号公報
【発明の概要】
【発明が解決しようとする課題】
【０００４】
しかしながら従来のシャッター装置は、カメラのレリーズ釦が押された後で露光開始までの間に、先幕が露光作動終了位置近傍から露光作動開始位置へ移動し、被写体光が撮像素子に当たることを遮断するため、実際に撮影される直前の映像をライブビュー表示で確認できず、視認性が悪くなってしまうという課題があった。
【０００５】
また、レリーズ釦を押してから先幕が露光作動を開始するまでの時間が長くなってしまい、静止画の撮像を高速に連続して行う、いわゆる連写を高速に行うことが困難であるという課題があった。
【０００６】
すなわち従来のシャッター装置は、レリーズ釦が押されてチャージ部材が初期位置へ復帰するとき、先幕駆動部材の抑止を解除し、先幕を露光作動終了位置近傍から露光作動開始位置へ移動させるように構成している。そして、先幕が露光作動開始位置に位置する露光直前の状態においては、被写体光は先幕により遮光されるためライブビュー表示ができない。また、先幕駆動部材と先幕が露光作動開始位置に移動する必要があり、その結果、露光開始までに時間がかかり、連写速度の向上が困難となっていた。
【０００７】
本発明は上記課題を解決し、ライブビュー表示の視認性および連写速度を向上したシャッター装置およびデジタルカメラを提供することを目的とする。
【課題を解決するための手段】
【０００８】
上記目的は、以下のシャッター装置によって達成される。
先幕と連結している第２係合部と、
露光作動時には第４バネの付勢力によって前記第２係合部を伴って作動し、前記先幕に露光作動を行わせる先幕走行部材と、
少なくとも前記先幕走行部材のチャージ作動時には前記先幕を露光作動開始位置へ作動させるための付勢力を有している第２バネと、
後幕と連結しており露光作動時には第３バネの付勢力によって作動し前記後幕に露光作動を行わせる後幕走行部材と、
セット作動時には初期位置から作動して前記先幕走行部材と前記後幕走行部材とを各々の前記ばねの付勢力に抗して作動させカメラのレリーズ時には露光作動に先立って初期位置復帰作動するチャージ部材と、
前記チャージ部材を初期位置へ復帰させるため付勢力を有している第５バネと、
少なくとも前記チャージ部材が初期位置へ復帰作動を行うときには前記先幕走行部材をチャージ位置で保持しており、前記先幕を前記第４バネの付勢力によって作動させるとき、その保持力を解除する先幕用保持手段と、
少なくとも前記チャージ部材が初期位置へ復帰作動を行うときには前記後幕走行部材をチャージ位置で保持しており、前記後幕を前記第３バネの付勢力によって作動させるとき、その保持力を解除する後幕用保持手段と、
抑止部を備えており前記チャージ部材に連動して往復回転させられ、前記チャージ部材がチャージ位置にあるときには露光用開口部を全開状態にしておくために前記第２係合部に前記抑止部が接触して前記第２係合部の露光作動開始位置への移動を抑止し前記チャージ部材の初期位置への復帰作動に伴ってその抑止を解く抑止部材を備えており、少なくとも前記チャージ部材が初期位置へ復帰作動を行うときには前記第２係合部の移動を抑止位置で保持しており、前記先幕を前記第２バネの付勢力によって作動させるとき、その保持力を解除する先幕用保持手段とを備える。
【０００９】
また、上記目的は、以下のデジタルカメラによって達成される。
上記シャッター装置を備えたデジタルカメラであって、
前記露光用開口部を通して被写体からの光を受光して画像データを生成する撮像手段と、
前記撮像手段および前記シャッター装置の動作を制御する制御手段とを備え、
前記制御手段は、前記先幕の作動タイミングに先立って前記撮像手段における先幕側のラインから順次先幕の作動速度に合わせて電荷をリセットすることで露光を開始させ、前記先幕の作動による前記露光用開口部の遮蔽により露光を終了させるように制御する。
【発明の効果】
【００１０】
本発明によれば、ライブビュー表示の視認性および連写速度を向上したシャッター装置およびデジタルカメラを提供することができる。
【図面の簡単な説明】
【００１１】
【図１】カメラシステム１の斜視図
【図２】カメラ本体１００の斜視図
【図３】カメラシステム１のブロック図
【図４Ａ】電子先幕およびメカ先幕による撮影動作時のシーケンス図
【図４Ｂ】電子先幕およびメカ先幕による撮影動作時における、他のシーケンス図
【図５Ａ】電子先幕およびメカ後幕による撮影動作時のシーケンス図
【図５Ｂ】電子先幕およびメカ先幕による撮影動作時のシーケンス図
【図５Ｃ】電子先幕およびメカ先幕による撮影動作時における、他のシーケンス図
【図６Ａ】シャッターユニット１９０の閉口状態の模式図
【図６Ｂ】シャッターユニット１９０の開口状態の模式図
【図６Ｃ】シャッターユニット１９０の走行準備状態の模式図
【図６Ｄ】シャッターユニット１９０の走行中の模式図
【図６Ｅ】シャッターユニット１９０のチャージレバー保持による開口状態の模式図
【図６Ｆ】シャッターユニット１９０の電子先幕およびメカ先幕走行中の模式図
【図６Ｇ】シャッターユニット１９０の先幕保持による開口状態の模式図
【図６Ｈ】シャッターユニット１９０の電子先幕およびメカ後幕走行中の模式図
【図６Ｉ】シャッターユニット１９０の電子先幕およびメカ先幕走行中の模式図
【図７】メカ先幕およびメカ後幕による撮影動作時のシーケンス図
【発明を実施するための形態】
【００１２】
本発明の実施形態に係るシャッター装置およびこれを備えたデジタルカメラとしてのカメラシステムについて説明する。なお、以下の実施形態は本発明の一実施形態であり、本発明はこれらの実施形態に限定されない。
【００１３】
＜第１実施形態＞
（１：構成）
（１−１：カメラシステムの概要）
図１は、本発明の実施形態に係るカメラシステム１の斜視図である。カメラシステム１は、カメラ本体１００とカメラ本体１００に着脱可能なレンズユニット２００とから構成される。図２は、カメラ本体１００の斜視図である。図３は、カメラシステム１の機能ブロック図である。以下、各部の詳細について説明する。説明の便宜のため、カメラシステム１の被写体側を前、撮像面側を後ろ又は背、カメラシステム１の通常姿勢における鉛直上側を上、鉛直下側を下ともいう。
【００１４】
（１−２：カメラボディの構成）
図４は、カメラシステム１の概略断面図である。また、図５は、カメラ本体の背面図である。カメラ本体１００は、主に、ＣＭＯＳイメージセンサー１１０と、カメラモニタ１２０と、操作部１３０と、カメラコントローラー１４０と、ボディマウント１５０と、電源１６０と、カードスロット１７０と、電子ビューファインダー１８０と、シャッターユニット１９０とを備える。また、カメラ本体１００には、前から順に、ボディマウント１５０、シャッターユニット１９０、ＣＭＯＳイメージセンサー１１０、カメラモニタ１２０が配置されている。
【００１５】
ＣＭＯＳイメージセンサー１１０は、レンズユニット２００を介して入射される被写体の光学像を撮像して画像データを生成する。生成された画像データは、ＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００１６】
ＣＭＯＳイメージセンサー１１０は、タイミング発生器１１２で制御されるタイミングで動作する。ＣＭＯＳイメージセンサー１１０は、静止画像の撮像動作、及び、動画像の撮像動作等を行う。動画像の撮影動作には、スルー画像の撮影動作が含まれる。ここで、スルー画像とは、動画像の撮像後、メモリーカード１７１にデータを記録しない画像である。スルー画像は、主に動画像であり、動画像または静止画像の撮影のための構図を決めるためにカメラモニタ１２０および／または電子ビューファインダー１８０（以下、ＥＶＦとも言う）に表示されるものである。また、動画像の撮影動作には、動画像の記録動作も含まれる。動画像の記録動作とは、動画像の撮影動作およびメモリーカード１７１に動画データを記録する動作を含む動作である。なお、ＣＭＯＳイメージセンサー１１０は被写体の光学像を撮像して電気的な画像信号に変換する撮像素子の一例である。撮像素子は、ＣＣＤイメージセンサー等を含む概念である。
【００１７】
カメラモニタ１２０は、表示用画像データが示す画像等を表示する。表示用画像データは、カメラコントローラー１４０で作成される。表示用画像データは、画像処理された画像データや、カメラシステム１の撮影条件、操作メニュー等を画像として表示するためのデータ等である。カメラモニタ１２０は、動画像も静止画像も選択的に表示可能である。カメラモニタ１２０は、液晶ディスプレイを有する。
【００１８】
カメラモニタ１２０は、カメラ本体１００に設けられている。本実施形態では、カメラ本体１００の背面に配置されているが、カメラ本体のどこに配置されていてもよい。なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。
【００１９】
電子ビューファインダー１８０は、カメラコントローラー１４０で作成された表示用画像データが示す画像等を表示する。ＥＶＦ１８０は、動画像も静止画像も選択的に表示可能である。また、ＥＶＦ１８０とカメラモニタ１２０とは、同じ内容を表示する場合と、異なる内容を表示する場合とがある。これらは、カメラコントローラー１４０によって制御される。
【００２０】
操作部１３０は、使用者による操作を受け付ける。操作部１３０は、使用者により操作される。操作部１３０は、レリーズ釦１３１を含む。レリーズ釦１３１は使用者によるシャッター操作を受け付ける。操作部１３０は、電源スイッチ１３２を含む。電源スイッチ１３２は、カメラ本体１００の上面に設けられた回転式のダイアルスイッチである。第１の回転位置で電源がＯＦＦとなり、第２の回転位置で電源がＯＮとなる。操作部は、使用者による操作を受け付けることができればよく、ボタン、レバー、ダイアル、タッチパネル等を含む。
【００２１】
カメラコントローラー１４０は、ＣＭＯＳイメージセンサー１１０等の各部を含むカメラ本体１００全体を制御する。カメラコントローラー１４０は、シャッターユニット１９０のカム部材１９０Ｕを回転させるためのシャッターモーター（図示省略）、第１電磁コイル１９０Ｍ、第２電磁コイル１９０Ｎおよび第３電磁コイル１９１Ａの通電状態を制御することにより、シャッター動作を制御する。また、電源１６０からの電力の供給が停止した状態でシャッターユニット１９０が開口状態を保持するようにシャッターユニット１９０を制御する。また、カメラコントローラー１４０は、操作部１３０からの指示を受け付ける。カメラコントローラー１４０は、レンズユニット２００を制御するための信号を、ボディマウント１５０及びレンズマウント２５０を介して、レンズコントローラー２４０に送信する。そして、レンズユニット２００の各部を間接的に制御する。すなわち、カメラコントローラー１４０は、カメラシステム１全体を制御する。また、カメラコントローラー１４０は、ボディマウント１５０及びレンズマウント２５０を介して、レンズコントローラー２４０から各種信号を受信する。カメラコントローラー１４０は、制御動作や画像処理動作の際に、ＤＲＡＭ１４１をワークメモリとして使用する。なお、カメラコントローラー１４０はボディ制御部の一例である。
【００２２】
カードスロット１７０は、メモリーカード１７１を装着可能である。カードスロット１７０は、カメラコントローラー１４０からの制御に基づいて、メモリーカード１７１を制御する。具体的には、カードスロット１７０は、メモリーカード１７１に画像データを格納する。カードスロット１７０は、メモリーカード１７１から画像データを出力する。また、メモリーカード１７１に動画データを格納する。カードスロット１７０は、メモリーカード１７１から動画データを出力する。
【００２３】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、メモリーカード１７１は、内部に格納する画像データ又は画像ファイルを出力できる。メモリーカード１７１から出力された画像データ又は画像ファイルは、カメラコントローラー１４０で画像処理される。例えば、カメラコントローラー１４０は、メモリーカード１７１から取得した画像データ又は画像ファイルを伸張などして表示用画像データを生成する。
【００２４】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、内部に格納する動画データ又は動画ファイルを出力できる。メモリーカード１７１から出力された動画データ又は動画ファイルは、カメラコントローラー１４０で画像処理される。例えば、カメラコントローラー１４０は、メモリーカード１７１から取得した動画データ又は動画ファイルを伸張して表示用動画データを生成する。なお、メモリーカード１７１は記憶部の一例である。記憶部は、メモリーカード１７１のようにカメラ本体１００に着脱可能なものでもよく、カメラシステム１００に固定されているものでもよい。
【００２５】
電源１６０は、カメラシステム１で使用するための電力を供給する。電源１６０は、例えば、乾電池であってもよいし、充電池であってもよい。また、電源コード等により外部から供給される電力をカメラシステム１に供給するものであってもよい。
ボディマウント１５０は、着脱可能なレンズユニット２００を保持する。ボディマウント１５０は、レンズユニット２００のレンズマウント２５０と機械的及び電気的に接続可能である。ボディマウント１５０とレンズマウント２５０とを介して、カメラ本体１００とレンズユニット２００との間で、データおよび／または制御信号を送受信可能である。具体的には、ボディマウント１５０とレンズマウント２５０とは、カメラコントローラー１４０とレンズコントローラー２４０との間で、データおよび／または制御信号を送受信する。ボディマウント１５０は、電源１６０から受けた電力を、レンズマウント２５０を介してレンズユニット２００全体に供給する。
【００２６】
シャッターユニット１９０は、いわゆるノーマリオープンタイプのフォーカルプレーンシャッターである。シャッターユニット１９０は、ボディマウント１５０とＣＭＯＳイメージセンサー１１０との間に配置される。シャッターユニット１９０は、後幕１９０Ａと、先幕１９０Ｂと、シャッター保持枠１９０Ｃとを有する。シャッター保持枠１９０Ｃは、開口部１９０Ｄを有する。シャッターユニット１９０は、開口状態を機械的に保持することができる。そして、シャッターユニット１９０は、カメラ本体１００の電源が停止した状態で機械的に開口状態が保持されるようにカメラコントローラー１４０により制御される。機械的に保持するとは、電気の力を使わずに開口状態を保持するという概念である。例えば、物と物とを係合するものや、永久磁石によって保持するものである。
【００２７】
以下、シャッターユニット１９０の実施形態の一例を図６Ａから図６Ｆを用いて説明する。図６Ａは、シャッターユニット１９０の閉口状態（状態Ａ）の模式図である。図６Ｂは、シャッターユニット１９０の機械的保持による開口状態（状態Ｂ）の模式図である。図６Ｃは、シャッターユニット１９０の走行準備状態（状態Ｃ）の模式図である。図６Ｄは、シャッターユニット１９０のメカ先幕およびメカ後幕走行中（状態Ｄ）の模式図である。図６Ｅは、シャッターユニット１９０のチャージレバー保持による開口状態（状態Ｅ）の模式図である。図６Ｆは、シャッターユニット１９０の電子先幕（後述）およびメカ先幕走行中（状態Ｆ）の模式図である。
【００２８】
図６Ａを用いて初期状態である閉口状態を説明する。後幕１９０Ａは第１バネ１９０Ｅによって、上方向、すなわち開口部１９０Ｄから退避する方向に付勢されている。また、先幕１９０Ｂは第２バネ１９０Ｆによって、上方向、すなわち開口部１９０Ｄを遮蔽する方向に付勢されている。後幕走行部材１９０Ｇには、第１吸着片１９０Ｈが取り付けられている。また、後幕走行部材１９０Ｇは、上下方向に移動可能であり、第３バネ１９０Ｉによって下方向に付勢されている。先幕走行部材１９０Ｊには、第２吸着片１９０Ｋが取り付けられている。また、先幕走行部材１９０Ｊは、上下方向に移動可能であり、第４バネ１９０Ｌによって下方向に付勢されている。第３バネ１９０Ｉは第１バネ１９０Ｅよりも、付勢力が強い。また、第４バネ１９０Ｌは第２バネ１９０Ｆよりも付勢力が強い。第１バネ１９０Ｅ、第２バネ１９０Ｆ、第３バネ１９０Ｉ、および、第４バネ１９０Ｌは、例えば、シャッター保持枠１９０Ｃなどに取り付けられている。
【００２９】
第１電磁コイル１９０Ｍと第１吸着片１９０Ｈ、第２電磁コイル１９０Ｎと第２吸着片１９０Ｋが接触した状態で、第１電磁コイル１９０Ｍ、第２電磁コイル１９０Ｎに通電すると、第１電磁コイル１９０Ｍと第１吸着片１９０Ｈ、第２電磁コイル１９０Ｎと第２吸着片１９０Ｋがそれぞれ吸着可能である。第１電磁コイル１９０Ｍ、第２電磁コイル１９０Ｎは例えば、保持枠１９０Ｃなどに取り付けられている。閉口状態（図６Ａ）では、第１電磁コイル１９０Ｍと第１吸着片１９０Ｈ、第２電磁コイル１９０Ｎと第２吸着片１９０Ｋはいずれも接触しておらず、第１電磁コイル１９０Ｍおよび第２電磁コイル１９０Ｎに通電していない。
【００３０】
後幕１９０Ａと先幕１９０Ｂは上下方向に移動可能である。後幕１９０Ａには第１係合部１９０Ｐが設けられており、先幕１９０Ｂには第２係合部１９０Ｑが設けられている。後幕走行部材１９０Ｇの下部と第１係合部１９０Ｐの上部は接触するようになっている。第１係合部１９０Ｐの上下以上範囲の上端は後幕走行部材１９０Ｇの位置によって決まる。
【００３１】
チャージ部材１９０Ｒは上下方向に移動可能であり、第５バネ１９０Ｓによって下方向に付勢されている。チャージ部材１９０Ｒは第１ピン１９０Ｔを有し、カム部材１９０Ｕによって駆動されるチャージレバー１９０Ｖの被係合部に係合している。カム部材１９０Ｕはシャッターモーターによって回転可能である。閉口状態（図６Ａ）では、カム部材１９０Ｕがチャージレバー１９０Ｖの第２ピン１９０Ｗに力を与えていない。そのため、チャージ部材１９０Ｒとチャージレバー１９０Ｖは第５バネ１９０Ｓの力によって下に位置している。
【００３２】
チャージレバー１９０Ｖには、第３吸着片１９１Ｂが取り付けられている。第３電磁コイル１９１Ａと第３吸着片１９１Ｂが接触した状態で、第３電磁コイル１９１Ａに通電すると、第３電磁コイル１９１Ａと第３吸着片１９１Ｂが吸着可能である。第３電磁コイル１９１Ａは例えば、保持枠１９０Ｃなどに取り付けられている。閉口状態（図６Ａ）では、第３電磁コイル１９１Ａと第３吸着片１９１Ｂとは接触しておらず、第３電磁コイル１９１Ａに通電していない。
【００３３】
チャージ部材１９０Ｒは後幕走行部材１９０Ｇの下側および先幕走行部材１９０Ｊの下側と接触可能である。閉口状態（図６Ａ）では、チャージ部材１９０Ｒが下側（初期位置）にあるため、第３バネ１９０Ｉおよび、第４バネ１９０Ｌの付勢力によって、後幕１９０Ａは、第１バネ１９０Ｅの付勢力に抗して、開口部１９０Ｄを遮蔽し、先幕１９０Ｂは、第２バネ１９０Ｆの付勢力に抗して、開口部１９０Ｄから退避している。
【００３４】
チャージ部材１９０Ｒの第３ピン１９０Ｘは、回転レバー１９０Ｙと係合している。回転レバー１９０Ｙは回転軸がシャッター保持枠１９０Ｃに固定され、第３ピン１９０Ｘとの係合部がチャージ部材１９０Ｒとともに上下移動することで回転する。回転レバー１９０Ｙの係合部と反対側の自由端部１９０Ｚは、係合部と上下方向が反対の動きをする。自由端部１９０Ｚは、先幕１９０Ｂの第２係合部１９０Ｑの上側と接触可能な軌跡を描くように構成している。閉口状態（図６Ａ）では、自由端部１９０Ｚは上に位置し、先幕１９０Ｂの第２係合部１９０Ｑは自由端部１９０Ｚと係合していない。
【００３５】
このように、シャッターユニット１９０は、閉口状態（図６Ａ）を機械的に保持可能である。
【００３６】
次に、図６Ｂを用いて開口状態を説明する。閉口状態（図６Ａ）から、カム部材１９０Ｕがシャッターモーター（図示省略）によって右回りに回転すると、カム部材１９０Ｕに係合した第２ピン１９０Ｗを押圧し、チャージレバー１９０Ｖが左回りに回転し、被係合部が上方へと移動する。このとき、チャージレバー１９０Ｖの被係合部とチャージ部材１９０Ｒの第１ピン１９０Ｔが接触しているため、チャージ部材１９０Ｒは第５バネ１９０Ｓの付勢力に抗して、上方向に動かされる。そして、チャージ部材１９０Ｒが後幕走行部材１９０Ｇの下側および先幕走行部材１９０Ｊの下側から接触し、後幕走行部材１９０Ｇと先幕走行部材１９０Ｊが上方向に押し上げられる。すると、第１バネ１９０Ｅおよび第２バネ１９０Ｆの力によって後幕１９０Ａの第１系合部１９０Ｐの上部は後幕走行部材１９０Ｇの下側に、先幕１９０Ｂの第２係合部１９０Ｑの上部は先幕走行部材１９０Ｊの下側に接触した状態で上方向へと移動する。
【００３７】
チャージ部材１９０Ｒが上へ移動すると、同時に回転レバー１９０Ｙは右周りに回転し、ある程度チャージ部材１９０Ｒの上への移動が進むと回転レバー１９０Ｙの自由端部１９０Ｚが先幕１９０Ｂの第２係合部１９０Ｑに上から接触し、先幕１９０Ｂは回転レバー１９０Ｙに押し戻され下方向へと移動する。カム部材１９０Ｕが図６Ｂに示す位置まで回転して停止すると、各部材も図６Ｂに示す状態Ｂとなる。カム部材１９０Ｕの回転動作によりチャージ部材１９０Ｒを上方へ移動させる動作をチャージ動作、チャージ動作を完了した状態Ｂでのチャージ部材１９０Ｒの位置をチャージ位置とする。
【００３８】
この状態では、チャージレバー１９０Ｖの第２ピン１９０Ｗが、カム部材１９０Ｕの回転中心と同心のカム面に乗り上げるため、チャージ部材１９０Ｒに加わる第５バネ１９０Ｓ、第３バネ１９０Ｉおよび、第４バネ１９０Ｌの付勢力によって、カム部材１９０Ｕに回転力を与えないため、シャッターモーターに通電しなくても、カム部材１９０Ｕと第２ピン１９０Ｗはこの状態を保持し、チャージ部材１９０Ｒは上に位置した状態で保持される。そして、先幕走行部材１９０Ｊおよび後幕走行部材１９０Ｇはチャージ部材１９０Ｒによって、第１吸着片１９０Ｈが第１電磁コイル１９０Ｍに、第２吸着片１９０Ｋが第２電磁コイル１９０Ｎに吸着可能に押し付けられた状態で保持される。後幕１９０Ａは、第１バネ１９０Ｅの力によって、上の位置、すなわち、開口部１９０Ｄから退避した状態で保持される。また、回転レバー１９０Ｙは右方向に回転し自由端部１９０Ｚが下に位置した状態で保持されるため、先幕１９０Ｂは自由端部１９０Ｚによって下の位置、すなわち、開口部１９０Ｄから退避した状態で保持される。このとき、第１電磁コイル１９０Ｍおよび第２電磁コイル１９０Ｎには通電していない。また、チャージレバー１９０Ｖの第３吸着片１９１Ｂは、第３電磁コイル１９１Ａに吸着可能に押し付けられた状態で保持される。
【００３９】
このように、シャッターユニット１９０は、機械的に開口状態が保持されることで、シャッターユニット１９０が開口状態（図６Ｂ）となり、ＣＭＯＳイメージセンサー１１０への光路が開かれる。このようにシャッターユニット１９０は電力の供給がなくても開口状態（図６Ｂ）を機械的に保持できる。シャッターユニット１９０がこの開口状態にあるときにＣＭＯＳイメージセンサー１１０が出力する画像データをカメラモニタ１２０やＥＶＦ１８０に表示することにより、ライブビュー機能が実現される。
【００４０】
なお、図６Ｂに示す状態Ｂに対し、さらに第１電磁コイル１９０Ｍと第２電磁コイル１９０Ｎに通電することにより、第１電磁コイル１９０Ｍが第１吸着片１９０Ｈと吸着し、第２電磁コイル１９０Ｎが第２吸着片１９０Ｋと吸着した状態（この状態を状態Ｂ’と呼ぶ）や、そこからさらに第３電磁コイル１９１Ａに通電することにより、第３電磁コイル１９１Ａが第３吸着片１９１Ｂと吸着した状態（この状態を状態Ｂ’’と呼ぶ）をとることもある。例えば連写を行う際に、他の状態から状態Ｂに遷移する代わりに直接状態Ｂ’あるいは状態Ｂ’’に遷移することがある。
【００４１】
次に、図６Ｃを用いて走行準備状態を説明する。図６Ｃに示す走行準備状態とは、開口状態から先幕１９０Ｂ（メカ先幕）および後幕１９０Ａ(メカ後幕)を用いて露光開始および露光終了タイミングを制御することによりシャッター動作を行うための準備段階の状態である。開口状態（図６Ｂ）から撮影者がカメラ本体１００のレリーズ釦１３１を押し込むと、第１電磁コイル１９０Ｍと第２電磁コイル１９０Ｎに通電し、第１電磁コイル１９０Ｍは第１吸着片１９０Ｈと吸着し、第２電磁コイル１９０Ｎは第２吸着片１９０Ｋと吸着する（状態Ｂ’）。第３電磁コイル１９１Ａには通電しないため、第３電磁コイルは第３吸着片１９１Ｂとは吸着しない。その後、カム部材１９０Ｕが右方向に回転し図６Ｃに示す状態となる。すると、チャージレバー１９０Ｖおよびチャージ部材１９０Ｒの機械的な保持が解除され、チャージ部材１９０Ｒは第５バネ１９０Ｓの力によって下側に移動する。第１電磁コイル１９０Ｍと第２電磁コイル１９０Ｎの吸着力によって後幕走行部材１９０Ｇおよび先幕走行部材１９０Ｊは上に位置したままである。そして、後幕１９０Ａは第１バネ１９０Ｅの力によって開口状態を保持している。
【００４２】
さらに、回転レバー１９０Ｙは左回りに回転し、自由端部１９０Ｚと第２係合部１９０Ｑの接触が解除される。そして、先幕１９０Ｂは第２バネ１９０Ｆの力によって第２係合部１９０Ｑと先幕走行部材１９０Ｊが接触する位置まで上昇する。すなわち、先幕１９０Ｂは開口部１９０Ｄを遮蔽する。そして、先幕１９０Ｂは遮蔽状態を保持している。チャージ部材１９０Ｒは、後幕走行部材１９０Ｇおよび先幕走行部材１９０Ｊの下方向の走行経路から退避している。
【００４３】
次に、図６Ｄを用いて先幕１９０Ｂ（メカ先幕）および後幕１９０Ａ(メカ後幕)が走行中の状態を示す。走行中にはカム部材１９０Ｕ、チャージレバー１９０Ｖ、チャージ部材１９０Ｒおよび回転レバー１９０Ｙの動きに変化はない。走行準備状態（図６Ｃ）から、第２電磁コイル１９０Ｎへの通電を遮蔽すると、第２電磁コイル１９０Ｎと第２吸着片１９０Ｋとの吸着力が解除される。すると、先幕１９０Ｂにかかる第２バネ１９０Ｆによる上方向の力よりも先幕走行部材１９０Ｊを介して先幕１９０Ｂに及ぼされる第４バネ１９０Ｌによる下方向の力が大きいことによって、先幕１９０Ｂは下方向、すなわち開口部１９０Ｄを開口する方向に走行する。第２電磁コイル１９０Ｎへの通電を遮蔽した後、所定時間経過後に第１電磁コイル１９０Ｍへの通電を遮蔽すると、第１電磁コイル１９０Ｍと第１吸着片１９０Ｈとの吸着力が解除される。そして、後幕１９０Ａにかかる第１バネ１９０Ｅによる上方向の力よりも後幕走行部材１９０Ｇを介して及ぼされる第３バネ１９０Ｉによる下方向の力の方が大きいことによって、後幕１９０Ａは下方向、すなわち開口部１９０Ｄを遮蔽する方向に移動する。先幕１９０Ｂと後幕１９０Ａとは隙間Ｓを有したまま走行する。移動が完了すると、閉口状態（図６Ａ）になる。
【００４４】
先幕１９０Ｂと後幕１９０Ａの隙間Ｓを通った光がＣＭＯＳイメージセンサー１１０に入射する。先幕１９０Ｂと後幕１９０Ａの隙間Ｓの間隔を有する開口部が紙面上から下に移動することで、ＣＭＯＳイメージセンサー１１０全体を露光する。隙間Ｓを適宜調整することでＣＭＯＳイメージセンサー１１０の露光時間を制御することが可能となっている。先幕１９０Ｂの保持の解除から後幕１９０Ａの解除までの時間を制御することにより、隙間ｓを制御している。具体的には、先幕１９０Ｂの保持の解除から後幕１９０Ａの解除までの時間（第２電磁コイル１９０Ｎへの通電を遮蔽してから第１電磁コイル１９０Ｍへの通電を遮蔽するまでの時間、シャッタースピードに相当）を露光したい時間にする。なお、シャッタースピードがある程度以上長くなると、先幕１９０Ｂが開口部１９０Ｄから完全に退避した後に後幕１９０Ａが開口部１９０Ｄを遮蔽し始めることになる。
【００４５】
再び先幕１９０Ｂ（メカ先幕）および後幕１９０Ａ(メカ後幕)を使用してＣＭＯＳイメージセンサー１１０による動画像の撮影等を行う場合は、遮光状態（状態Ａ）からカム部材１９０Ｕを回転して開口状態（状態Ｂまたは状態Ｂ’）に移行する。
【００４６】
次に、図６Ｅを用いてチャージレバー保持による開口状態を説明する。図６Ｅに示すチャージレバー保持による開口状態とは、開口状態（図６Ｂ）から電子先幕および先幕１９０Ｂ（メカ先幕）を用いて露光開始および露光終了タイミングを制御することによりシャッター動作を行う場合においてライブビュー表示を行っている状態である。
【００４７】
開口状態（図６Ｂ）から、第１電磁コイル１９０Ｍ、第２電磁コイル１９０Ｎおよび第３電磁コイル１９１Ａに通電し、第１電磁コイル１９０Ｍは第１吸着片１９０Ｈと吸着し、第２電磁コイル１９０Ｎは第２吸着片１９０Ｋと吸着し、第３電磁コイル１９１Ａは第３吸着片１９１Ｂと吸着する（状態Ｂ’’）。その後、カム部材１９０Ｕが右方向に回転し図６Ｅに示す状態となる。しかし、第３電磁コイル１９１Ａと第３吸着片１９１Ｂの吸着力によってチャージレバー１９０Ｖは上方に位置したままである。したがって、それに係合するチャージ部材１９０Ｒも上方に位置したままである。第１電磁コイル１９０Ｍと第２電磁コイル１９０Ｎの吸着力および／またはチャージ部材１９０Ｒによる押圧によって、後幕走行部材１９０Ｇおよび先幕走行部材１９０Ｊも上に位置したままである。そして、後幕１９０Ａは第１バネ１９０Ｅの力によって開口状態を保持している。回転レバー１９０Ｙは自由端部１９０Ｚが下に位置した状態のままであり、先幕１９０Ｂは自由端部１９０Ｚによって下の位置、すなわち、開口部１９０Ｄから退避した状態で保持される。
【００４８】
次に、図６Ｆを用いて電子先幕および先幕１９０Ｂ(メカ先幕)が走行中の状態を示す。走行中にはカム部材１９０Ｕ、先幕走行部材１９０Ｊ、後幕１９０Ａおよび後幕走行部材１９０Ｇの動きに変化はない。チャージレバー保持による開口状態（図６Ｅ）から、撮影者がカメラ本体１００のレリーズ釦１３１を押し込むと、第３電磁コイル１９１Ａへの通電が遮蔽され、第３電磁コイル１９１Ａと第３吸着片１９１Ｂとの吸着力が解除される。すると、チャージレバー１９０Ｖおよびチャージ部材１９０Ｒの機械的な保持が解除され、チャージ部材１９０Ｒは第５バネ１９０Ｓの力によって下側に移動する。第１電磁コイル１９０Ｍと第２電磁コイル１９０Ｎの吸着力によって後幕走行部材１９０Ｇおよび先幕走行部材１９０Ｊは上に位置したままである。そして、後幕１９０Ａは第１バネ１９０Ｅの力によって開口状態を保持している。
【００４９】
さらに、回転レバー１９０Ｙは左回りに回転し、自由端部１９０Ｚと第２係合部１９０Ｑの接触が解除される。そして、先幕１９０Ｂは第２バネ１９０Ｆの力によって第２係合部１９０Ｑと先幕走行部材１９０Ｊが接触する位置まで上方へ走行する。すなわち、先幕１９０Ｂは開口部１９０Ｄを遮蔽する。
【００５０】
ここで、先幕１９０Ｂが上方へ走行して開口部１９０Ｄの奥にあるＣＭＯＳイメージセンサー１１０を遮蔽し始めるタイミングよりも所定時間前に、ＣＭＯＳイメージセンサー１１０の最下位ラインから順に、撮像素子の電荷をリセットしていく。下から上への電荷リセットを行う対象ラインの移動速度を先幕１９０Ｂの走行速度と一致させると、先幕１９０Ｂの最上部と、ＣＭＯＳイメージセンサー１１０の電荷リセットの対象ラインＲとの間隔がＳとなり、これが擬似的な開口部となって紙面下から上へ移動することにより、ＣＭＯＳイメージセンサー１１０全体を露光する。このようにすれば、各画素は、電荷がリセットされてから入射光が遮光されるまでの期間に露光された分の電荷を蓄積する。物理的な先幕（メカ先幕）ではなく、ＣＭＯＳイメージセンサー１１０の電荷リセットにより露光を開始するため、この電荷リセット動作およびその対象ラインＲを電子先幕と呼ぶことにする。
【００５１】
第３電磁コイル１９１Ａの通電を遮蔽してからＣＭＯＳイメージセンサー１１０の最下位ラインが遮蔽されるまでの時間、および先幕１９０Ｂの走行速度は一定であるため、これらを考慮して第３電磁コイル１９１Ａの通電を遮蔽してからＣＭＯＳイメージセンサー１１０を電荷リセット開始するまでのタイミングおよび電荷リセット対象ラインの移動速度を決定する。
【００５２】
先幕１９０Ｂは、電子先幕の走行に続いて後から上方に走行する。すなわち、ここでは先幕１９０Ｂは後幕として作用する。電子先幕と後幕としての先幕１９０Ｂとは隙間Ｓを有したまま走行する。移動が完了すると、図６Ｃに示す状態Ｃになる。
再び電子先幕および後幕としての先幕１９０Ｂを使用してＣＭＯＳイメージセンサー１１０による動画像の撮影等を行う場合は、状態Ｃからカム部材１９０Ｕを回転して開口状態（状態Ｂ、状態Ｂ’または状態Ｂ’’）に移行する。
【００５３】
なお、上述の構成は、シャッターユニットの一例である。また、カム部材１９０Ｕ、チャージレバー１９０Ｖ、チャージ部材１９０Ｒ、回転レバー１９０Ｙおよび第１バネ１９０Ｅ等は、シャッターユニットの開口状態を保持するメカロック機構の一例である。
【００５４】
（１−３：レンズユニットの構成）
レンズユニット２００は、光学系とレンズコントローラー２４０とレンズマウント２５０と絞りユニット２６０とレンズ筒２９０とを備える。レンズユニット２００の光学系はズームレンズ２１０、および、フォーカスレンズ２３０を含む。光学系は、レンズ筒２９０の内部に収容されている。また、レンズ筒２９０の外部には、ズームリング２１３とフォーカスリング２３４とが設けられている。
【００５５】
ズームレンズ２１０は、レンズユニット２００の光学系で形成される被写体の光学像（以下、被写体像ともいう）の倍率、すなわち、光学系の焦点距離を変化させるためのレンズである。ズームレンズ２１０は、１枚又は複数枚のレンズで構成される。ズームレンズ２１０は、光学系の光軸と平行な方向に移動することにより焦点距離を変化させる。
【００５６】
ズームリング２１３は筒状の部材であり、レンズ筒２９０の外周面で回転可能である。ズームリング２１３は、焦点距離を操作するズーム操作部の一例であり、操作後の位置に応じて焦点距離が決定されるズーム操作部の一例である。
【００５７】
駆動機構２１１は、使用者によりズームリング２１３が操作されると、当該操作をズームレンズ２１０に伝え、ズームレンズ２１０を光学系の光軸方向に沿って移動させる。
【００５８】
フォーカスレンズ２３０は、光学系がＣＭＯＳイメージセンサー１１０上に形成する被写体像のフォーカス状態を変化させるためのレンズである。フォーカスレンズ２３０は、１枚又は複数枚のレンズで構成される。ズームレンズ２１０は、光学系の光軸と平行な方向に移動することにより被写体像のフォーカス状態を変化させる。
【００５９】
フォーカスモータ２３３は、レンズコントローラー２４０の制御に基づいて、フォーカスレンズ２３０が光学系の光軸に沿って進退するよう駆動する。これにより、光学系によりＣＭＯＳイメージセンサー１１０上に形成される被写体像のフォーカス状態を変化させることができる。フォーカスモータ２３３は、ズームレンズ２１０の駆動から独立してフォーカスレンズ２３０を駆動することができる。
【００６０】
絞りユニット２６０は、光学系を透過する光の量を調整する光量調整部材である。絞りユニット２６０は、光学系を透過する光の光線の一部を遮蔽可能な絞り羽根と、絞り羽根を駆動しその遮蔽量を変更して光量を調整する絞り駆動部とを有する。カメラコントローラー１４０は、ＣＭＯＳイメージセンサー１１０が受けた光の量、静止画撮影を行うのか動画撮影を行うのか、絞り値が優先的に設定される操作がされているか等に基づいて、絞りユニット２６０に動作を指示する。
【００６１】
レンズコントローラー２４０は、カメラコントローラー１４０からの制御信号に基づいて、フォーカスモータ２３３などのレンズユニット２００全体を制御する。また、駆動機構２１１、フォーカスモータ部２３３などから信号を受信して、カメラコントローラー１４０に送信する。レンズコントローラー２４０は、カメラコントローラー１４０との送受信を、レンズマウント２５０及びボディマウント１５０を介して行う。レンズコントローラー２４０は、制御の際、ＤＲＡＭ２４１をワークメモリとして使用する。また、フラッシュメモリ２４２は、レンズコントローラー２４０の制御の際に使用するプログラムやパラメータを保存する。
【００６２】
（２：動作）
以下、本発明の実施形態に係るカメラシステム１の動作について、シーケンス図を参照しながら説明する。各シーケンス図において、横軸は時間軸である。各図において、上から順にシャッターモーター、チャージレバー１９０Ｖ、後幕１９０Ａ、先幕１９０Ｂおよび電子先幕、ＣＭＯＳイメージセンサー１１０およびそこからのデータ転送の状態を示している。また、縦方向の破線およびその上の符号（Ａ〜Ｇ）は、シャッターユニット１９０のその時刻における状態を示す。
【００６３】
シャッターモーターは、カム部材１９０Ｕと共に正転している状態（上段）、未通電状態（下段）のうちいずれかを取る。本実施形態においては、未通電状態はシャッターモーターおよびカム部材１９０Ｕが停止している状態として説明する。
【００６４】
チャージレバー１９０Ｖは、カム部材１９０Ｕが第２ピン１９０Ｗに力を加えておらず最も右回りに回転した状態（上段）、カム部材１９０Ｕが第２ピン１９０Ｗに力を加えていき、最も左回りに回転した状態（下段）およびその中間の状態を取る。また、チャージレバー１９０Ｖに設けられた第３吸着片１９１Ｂと吸着する第３電磁コイル１９１Ａに通電している状態を網掛けの帯で示す。
【００６５】
後幕１９０Ａおよび先幕１９０Ｂは、後幕１９０Ａを破線で、また先幕１９０Ｂを実線で、説明の便宜上同じ欄に記載している。各々は、最も上方に位置した状態（上段）、最も下方に位置した状態（下段）およびその中間の状態を取る。例えばシーケンス図において破線（後幕１９０Ａ）が上段、実線（先幕１９０Ｂ）が下段に位置しているときは、シャッターユニット１９０の開口部１９０Ｄが完全に開口している状態を示す。また、後幕１９０Ａの駆動に関連する第１電磁コイル１９０Ｍに通電している状態を上段側の網掛けの帯で示す。先幕１９０Ｂの駆動に関連する第２電磁コイル１９０Ｎに通電している状態を下段側の網掛けの帯で示す。また、電子先幕の動作を点線で示す。なお、右上がりの点線は、ＣＭＯＳイメージセンサー１１０の下のラインから上のラインへリセット対象ラインが移動していくことを示し、右下がりの点線は、ＣＭＯＳイメージセンサー１１０の上のラインから下のラインへリセット対象ラインが移動していくことを示す。
【００６６】
ＣＭＯＳイメージセンサーは、出力する画像データをカメラモニタ１９０やＥＶＦ１８０にライブビュー表示している状態（「ＬＶ」と表記）、記録するための画像データを出力するために露光している状態およびその他の状態（「ＢＯ」と表記）のいずれかの状態を取る。その他の状態とは、ＣＭＯＳイメージセンサー１１０がシャッターユニット１９０により遮光されているブラックアウト（ＢＯ）状態、被写体光を受光して画像データを出力しているが、記録やライブビュー表示等には使用していない状態を含む。また、記録のための画像データ（「露光」状態時に蓄積した電荷）を転送中の状態を「ＢＯ」状態に重ねて示す。
【００６７】
（２−１：メカ先幕、メカ後幕による撮影動作）
図７は、メカ先幕およびメカ後幕による撮影動作時のシーケンス図である。ここでは、本実施形態の構成によるメカ先幕、メカ後幕を使用した撮影動作について説明する。
【００６８】
使用者による操作部１３０の操作により撮影動作のモードが決定されると、それに基づいてカメラコントローラー１４０はシャッターユニット１９０およびＣＭＯＳイメージセンサー１１０を含む各部の制御方法を決定する。ここではメカ先幕およびメカ後幕、すなわち先幕１９０Ｂおよび後幕１９０Ａを用いてシャッター動作を行うよう制御することを決定する。そしてカメラコントローラー１４０は、ライブビュー表示のための動画撮影を行うようにＣＭＯＳイメージセンサー１１０を制御する。撮影された動画像は、カメラモニタ１２０またはＥＶＦ１８０に表示される。このとき、動画像はメモリーカード１７１には記録されない。使用者は、カメラモニタ１２０またはＥＶＦ１８０によって構図を決定する。ＡＥ制御およびＡＦ制御は、ＣＭＯＳイメージセンサー１１０からの画像データに基づいて行われる。このとき、シャッターユニット１９０は、開口状態を機械的に保持する。具体的には、後幕１９０Ａをメカロック機構により開口状態（状態Ｂ）で保持する。
【００６９】
使用者によりレリーズ釦１３１が操作されると、シャッターユニット１９０を上述のように駆動し、状態Ｂ’および走行準備状態（状態Ｃ）を経て先幕１９０Ｂおよび後幕１９０Ａを走行し（状態Ｄ）、ＣＭＯＳイメージセンサー１１０を露光する。先幕１９０Ｂおよび後幕１９０Ａが走行後は閉口状態（状態Ａ）となる。そして、画像データを外部へ転送する。カメラコントローラー１４０はＡＤコンバーター１１１でデジタル信号に変換された画像データに対して所定の画像処理を施し、画像データまたは動画データをメモリーカード１７１に記録する。
【００７０】
その後、連写を行わずに次のレリーズ釦１３１の操作を待機する場合は、カメラコントローラー１４０は、シャッターユニット１９０を、再度開口状態を機械的に保持するように制御する。具体的には、シャッターモーターによってカム部材１９０Ｕを回転し、開口状態（状態Ｂ）を保持する。静止画撮影モードの途中で電源１６０からの電力の供給が停止されても、その後電源１６０からの電力の供給が停止した状態で、シャッターユニット１９０は開口状態を保持することができる。
【００７１】
一方、使用者がレリーズ釦１３１を押下し続ける等の操作を行った場合には連写を行う。連写を行う場合には、カメラコントローラー１４０は、閉口状態（状態Ａ）から、シャッターユニット１９０を再度開口状態を機械的に保持するように制御し、さらに第１電磁コイル１９０Ｍおよび第２電磁コイル１９０Ｎに通電する（状態Ｂ’）。続いてシャッターユニット１９０を制御して走行準備状態（状態Ｃ）を経て先幕１９０Ｂおよび後幕１９０Ａを走行し（状態Ｄ）、ＣＭＯＳイメージセンサー１１０を露光する。以降、使用者がレリーズ釦１３１の押下を終了するまでこのシャッター動作を連続して行うことにより、連写を行う。
【００７２】
以上の動作により本実施形態のカメラシステム１は、ノーマリオープンシャッタによるライブビュー表示からの撮影動作を行うことができる。
【００７３】
（２−２：電子先幕、メカ先幕による撮影動作）
図４Ａは、電子先幕およびメカ先幕による撮影動作時のシーケンス図である。ここでは、先幕１９０Ｂを後幕として使用する。動作説明においてメカ先幕、メカ後幕による撮影動作と同様の部分については詳細な説明は省略する。
【００７４】
使用者による操作部１３０の操作に基づいて、カメラコントローラー１４０が電子先幕およびメカ先幕を用いてシャッター動作を行うよう制御することを決定する。カメラコントローラー１４０はシャッターユニット１９０を含む各部を制御し、ライブビュー表示を行う（状態Ｂ）。
【００７５】
使用者によりレリーズ釦１３１が操作されると、シャッターユニット１９０を上述のように駆動し、状態Ｂ’’およびチャージレバー保持による開口状態（状態Ｅ）を経て電子先幕および先幕１９０Ｂを走行し（状態Ｆ）、ＣＭＯＳイメージセンサー１１０を露光する。先幕１９０Ｂは後幕として作用する。電子先幕および先幕１９０Ｂは、いずれも下から上へ走行する。露光完了後は状態Ｃとなる。この状態でＣＭＯＳイメージセンサー１１０からのデータ転送を行う。露光中は状態Ｃを維持する。すなわち、第２電磁コイル１９０Ｎおよび第１電磁コイル１９０Ｍへの通電を継続する。
【００７６】
その後、連写を行わずに次のレリーズ釦１３１の操作を待機する場合は、カメラコントローラー１４０は、シャッターモーターによってカム部材１９０Ｕを回転し、開口状態（状態Ｂ）を保持する。
【００７７】
一方、連写を行う場合には、カメラコントローラー１４０は状態Ｃから、シャッターユニット１９０を、再度開口状態を機械的に保持するように制御し、さらに第１電磁コイル１９０Ｍ第２電磁コイル１９０Ｎおよび第３電磁コイル１９１Ａに通電する（状態Ｂ’’）。ここで、状態Ａに対して状態Ｃは、後幕走行部材１９０Ｇ、先幕走行部材１９０Ｊが上方に移動した状態である。このため、状態Ｃから状態Ｂ、状態Ｂ’および状態Ｂ’’へ遷移する際には、チャージレバー１９０Ｖによって、後幕走行部材１９０Ｇおよび先幕走行部材１９０Ｊを第３バネ１９０Ｉおよび第４バネ１９０Ｌの付勢力に抗して上方に移動させる必要が無い。したがって、カム部材１９０Ｕを回転させるシャッターモーターの負荷が小さくなり、その分、状態Ａからの遷移に比較して高速に遷移させることができる。
【００７８】
状態Ｂ’’から続いてシャッターユニット１９０を制御してチャージレバー保持による開口状態（状態Ｅ）を経て電子先幕および先幕１９０Ｂを走行し（状態Ｆ）、ＣＭＯＳイメージセンサー１１０を露光する。以降、使用者がレリーズ釦１３１の押下を終了するまでこのシャッター動作を連続して行うことにより、連写を行う。
【００７９】
以上の動作によりカメラシステム１は、ノーマリオープンシャッタによるライブビュー表示から、電子先幕およびメカ先幕を後幕として使用して撮影動作を行うことができる。この方式によれば、ライブビュー表示から先幕１９１Ｂを上方に移動させて走行準備状態（状態Ｃ）とする必要がなく、露光の直前までライブビュー表示を継続することが出来、ライブビュー表示の視認性を向上することができる。
【００８０】
また、連写においては、２−１．で説明したメカ先幕、メカ後幕による連写動作よりも高速な連写を実現できる。これは、データ転送後の状態Ｂ’’への遷移が、状態Ａからの遷移が必要であるメカ先幕、メカ後幕による連写動作に対し、状態Ｃからの遷移となる電子先幕、メカ先幕による連写動作のほうが要する時間が短くて済むという理由による。
【００８１】
（２−３：電子先幕、メカ先幕による撮影動作（省電力動作））
図４Ｂは、電子先幕およびメカ先幕による撮影動作時における、他のシーケンス図である。２−２．で説明した電子先幕、メカ先幕による撮影動作と異なる部分は、露光後に第２電磁コイル１９０Ｎおよび第１電磁コイル１９０Ｍへの通電を順次遮断することである。したがって、露光後の動作について説明する。
【００８２】
露光完了後、第２電磁コイル１９０Ｎおよび第１電磁コイル１９０Ｍへの通電を順次遮断する。こうすることにより先幕１９０Ｂおよび後幕１９０Ａは下方向に走行し、閉口状態（状態Ａ）となる。したがって、データ転送期間中に第２電磁コイル１９０Ｎおよび第１電磁コイル１９０Ｍへの通電を継続することはない。このため、２−２．で説明した電子先幕、メカ先幕による撮影動作よりも消費電力を削減できる。
【００８３】
その後、連写を行わずに次のレリーズ釦１３１の操作を待機する場合は、開口状態（状態Ｂ）に遷移する。一方、連写を行う場合には状態Ｂ’’に遷移する。
【００８４】
以上の動作によりカメラシステム１は、ノーマリオープンシャッタによるライブビュー表示から、電子先幕およびメカ先幕を後幕として使用して撮影動作を行うことができ、さらに消費電力の削減を図ることができる。
【００８５】
＜第２実施形態＞
第１実施形態のカメラ本体１００と異なる点は、シャッターユニットの構成である。以下、主にシャッターユニットにおける第１実施形態との差異およびその動作について説明する。
【００８６】
（１：シャッターユニットの他の構成）
図６Ｇは、シャッターユニット１９０の先幕保持による開口状態（状態Ｇ）の模式図である。図６Ｈは、シャッターユニット１９０の電子先幕およびメカ後幕走行中（状態Ｈ）の模式図である。図６Ｉは、シャッターユニット１９０の電子先幕およびメカ先幕走行中（状態Ｉ）の模式図である。
【００８７】
図６Ｇを用いて、まず本実施形態におけるシャッターユニット１９０の構成について説明する。第１実施形態との違いは、第３電磁コイル１９１Ａと第３吸着片１９１Ｂの代わりに、第４電磁コイル１９１Ｃと第４吸着片１９１Ｄを設けたことである。
【００８８】
先幕１９０Ｂには、第４吸着片１９１Ｄが取り付けられている。第４電磁コイル１９１Ｃと第４吸着片１９１Ｄが接触した状態で、第４電磁コイル１９１Ｃに通電すると、第４電磁コイル１９１Ｃと第４吸着片１９１Ｄが吸着可能である。第４電磁コイル１９１Ｃは例えば、保持枠１９０Ｃなどに取り付けられている。以下、特に図示しないが、本実施の形態における状態Ａ〜状態Ｆは、第１実施形態における状態Ａ〜状態Ｆに準じた状態を指すものとする。
【００８９】
先幕保持による開口状態を説明する。図６Ｇに示す先幕保持による開口状態とは、開口状態（図６Ｂ）から電子先幕および、先幕１９０Ｂ（メカ先幕）または後幕１９０Ａを用いて露光開始および露光終了タイミングを制御することによりシャッター動作を行う場合においてライブビュー表示を行っている状態である。
【００９０】
開口状態（図６Ｂ）から、第１電磁コイル１９０Ｍ、第２電磁コイル１９０Ｎおよび第４電磁コイル１９１Ｃに通電し、第１電磁コイル１９０Ｍは第１吸着片１９０Ｈと吸着し、第２電磁コイル１９０Ｎは第２吸着片１９０Ｋと吸着し、第４電磁コイル１９１Ｃは第４吸着片１９１Ｄと吸着する（以後、状態Ｂ’’’と呼ぶ）。その後、カム部材１９０Ｕが右方向に回転し、チャージレバー１９０Ｖが下方に移動し、回転レバー１９０Ｚが左回りに回転して状態Ｇとなる。第４電磁コイル１９１Ｃと第４吸着片１９１Ｄの吸着力によって先幕１９０Ｂは下方に位置したままである。第１電磁コイル１９０Ｍと第２電磁コイル１９０Ｎの吸着力によって、後幕走行部材１９０Ｇおよび先幕走行部材１９０Ｊも上に位置したままである。そして、後幕１９０Ａは第１バネ１９０Ｅの力によって開口状態を保持している。
【００９１】
次に、図６Ｈを用いて電子先幕Ｒおよび後幕１９０Ａ(メカ後幕)が走行中の状態を示す。走行中にはカム部材１９０Ｕ、チャージレバー１９０Ｖ、チャージ部材１９０Ｒ、回転レバー１９０Ｙおよび先幕１９０Ｂの動きに変化はない。先幕保持による開口状態（図６Ｇ）から、撮影者がカメラ本体１００のレリーズ釦１３１を押し込むと、第１電磁コイル１９０Ｍへの通電が遮蔽され、第１電磁コイル１９０Ｍと第１吸着片１９０Ｈとの吸着力が解除される。後幕走行部材１９０Ｇは第３バネ１９０Ｉの力によって下方に走行し、開口部１９０Ｄを遮蔽する。第４電磁コイル１９１Ｃの吸着力によって先幕１９０Ｂは下に位置したままである。なお、第４電磁コイル１９１Ｃの吸着力によって先幕１９０Ｂは開口状態を保持しているとしたが、第４電磁コイル１９１Ｃに通電したまま、第２電磁コイル１９０Ｎの通電を遮蔽し、その後先幕走行部材１９０Ｊが下に位置した後、第４電磁コイル１９１Ｃの通電を遮蔽することでも、先幕１９０Ｂを下に位置させたままにすることが可能である。
【００９２】
ここで、後幕１９０Ａが下方へ走行して開口部１９０Ｄの奥にあるＣＭＯＳイメージセンサー１１０を遮蔽し始めるタイミングよりも所定時間前に、ＣＭＯＳイメージセンサー１１０の最上位ラインから順に、電子先幕を走行させる。すなわち、上から下への電荷リセットを行う対象ラインの移動速度を後幕１９０Ａの走行速度と一致させると、ＣＭＯＳイメージセンサー１１０の電荷リセットの対象ラインＲと後幕１９０Ａの最下部との間隔がＳとなり、これが擬似的な開口部となって紙面上から下へ移動することにより、ＣＭＯＳイメージセンサー１１０全体を露光する。
第１電磁コイル１９０Ｍの通電を遮蔽してからＣＭＯＳイメージセンサー１１０の最上位ラインが遮蔽されるまでの時間、および後幕１９０Ａの走行速度は一定であるため、これらを考慮して第１電磁コイル１９０Ｍの通電を遮蔽してからＣＭＯＳイメージセンサー１１０を電荷リセット開始するまでのタイミングおよび電荷リセット対象ラインの移動速度を決定する。
【００９３】
移動が完了すると、図６Ａに示す状態Ａになる。再び電子先幕および後幕１９０Ａを使用してＣＭＯＳイメージセンサー１１０による動画像の撮影等を行う場合は、状態Ａからカム部材１９０Ｕを回転して開口状態（状態Ｂ、状態Ｂ’状態Ｂ’’または状態’’’）に移行する。
【００９４】
次に、図６Ｉを用いて電子先幕Ｒおよび先幕１９０Ｂが走行中の状態を示す。走行中にはカム部材１９０Ｕ、チャージレバー１９０Ｖ、チャージ部材１９０Ｒ、回転レバー１９０Ｙおよび後幕１９０Ａの動きに変化はない。先幕保持による開口状態（図６Ｇ）から、撮影者がカメラ本体１００のレリーズ釦１３１を押し込むと、第４電磁コイル１９１Ｃへの通電が遮蔽され、第４電磁コイル１９１Ｃと第４吸着片１９１Ｄとの吸着力が解除される。これにより先幕１９０Ｂは第２バネ１９０Ｆの力によって上方に走行し、開口部１９０Ｄを遮蔽する。第１電磁コイル１９０Ｍの吸着力によって後幕１９０Ａは上に位置したままである。
【００９５】
ここで、先幕１９０Ｂが上方へ走行して開口部１９０Ｄの奥にあるＣＭＯＳイメージセンサー１１０を遮蔽し始めるタイミングよりも所定時間前に、ＣＭＯＳイメージセンサー１１０の最下位ラインから順に、電子先幕を走行させる。先幕１９０Ｂは、電子先幕の走行に続いて後から上方に走行する。すなわち、ここでは先幕１９０Ｂは後幕として作用する。電子先幕と後幕としての先幕１９０Ｂとは隙間Ｓを有したまま走行する。移動が完了すると、図６Ｃに示す状態Ｃになる。走行タイミング等については第１実施形態と同様である。
【００９６】
再び電子先幕および後幕としての先幕１９０Ｂを使用してＣＭＯＳイメージセンサー１１０による動画像の撮影等を行う場合は、状態Ｃからカム部材１９０Ｕを回転して開口状態（状態Ｂ、状態Ｂ’、状態Ｂ’’または状態Ｂ’’’）に移行する。
【００９７】
（２：動作）
以下、本発明の実施形態に係るカメラシステム１の動作について、シーケンス図を参照しながら説明する。先幕のシーケンスにおいて、第２電磁コイル１９０Ｎの通電状態示す網掛けの帯の下に、先幕１９０Ｂに設けられた第４吸着片１９１Ｄと吸着する第４電磁コイル１９１Ｃに通電している状態を網掛けの帯で示す。縦方向の破線およびその上の符号（Ａ〜Ｉ）は、シャッターユニット１９０のその時刻における状態を示す。
【００９８】
（２−１：電子先幕、メカ後幕による撮影動作）
図５Ａは、電子先幕およびメカ後幕による撮影動作時のシーケンス図である。動作説明において第１実施形態と同様の部分については詳細な説明は省略する。
【００９９】
使用者による操作部１３０の操作に基づいて、カメラコントローラー１４０が電子先幕およびメカ後幕を用いてシャッター動作を行うよう制御することを決定する。カメラコントローラー１４０はシャッターユニット１９０を含む各部を制御し、ライブビュー表示を行う（状態Ｂ）。
【０１００】
使用者によりレリーズ釦１３１が操作されると、シャッターユニット１９０を上述のように駆動し、状態Ｂ’’’および先幕保持による開口状態（状態Ｇ）を経て電子先幕および後幕１９０Ａを走行し（状態Ｈ）、ＣＭＯＳイメージセンサー１１０を露光する。電子先幕および後幕１９０Ａは、いずれも上から下へ走行する。露光完了後は状態Ａとなる。この状態でＣＭＯＳイメージセンサー１１０からのデータ転送を行う。
【０１０１】
その後、連写を行わずに次のレリーズ釦１３１の操作を待機する場合は、カメラコントローラー１４０は、シャッターモーターによってカム部材１９０Ｕを回転し、開口状態（状態Ｂ）を保持する。
【０１０２】
一方、連写を行う場合には、カメラコントローラー１４０は状態Ａから、シャッターユニット１９０を、再度開口状態を機械的に保持するように制御し、さらに第１電磁コイル１９０Ｍ第２電磁コイル１９０Ｎおよび第４電磁コイル１９１Ｃに通電する（状態Ｂ’’’）。状態Ｂ’’’から続いてシャッターユニット１９０を制御して先幕保持による開口状態（状態Ｇ）を経て電子先幕および後幕１９０Ａを走行し（状態Ｈ）、ＣＭＯＳイメージセンサー１１０を露光する。以降、使用者がレリーズ釦１３１の押下を終了するまでこのシャッター動作を連続して行うことにより、連写を行う。
【０１０３】
以上の動作によりカメラシステム１は、ノーマリオープンシャッタによるライブビュー表示から、電子先幕およびメカ後幕を使用して撮影動作を行うことができる。この方式によれば、ライブビュー表示から先幕１９１Ｂを上方に移動させて走行準備状態（状態Ｃ）とする必要がなく、露光の直前までライブビュー表示を継続することが出来るため、ライブビュー表示の視認性を向上することができる。また、ライブビュー表示中は各電磁コイルへの通電が不要であり、消費電力を削減することができる。
【０１０４】
（２−２：電子先幕、メカ先幕による撮影動作）
図５Ｂは、電子先幕およびメカ先幕による撮影動作時のシーケンス図である。ここでは、先幕１９０Ｂを後幕として使用する。
【０１０５】
使用者による操作部１３０の操作に基づいて、カメラコントローラー１４０が電子先幕およびメカ先幕を用いてシャッター動作を行うよう制御することを決定する。カメラコントローラー１４０はシャッターユニット１９０を含む各部を制御し、ライブビュー表示を行う（状態Ｂ）。
【０１０６】
使用者によりレリーズ釦１３１が操作されると、シャッターユニット１９０を上述のように駆動し、状態Ｂ’’’およびチャージレバー保持による開口状態（状態Ｇ）を経て電子先幕および先幕１９０Ｂを走行し（状態Ｉ）、ＣＭＯＳイメージセンサー１１０を露光する。先幕１９０Ｂは後幕として作用する。電子先幕および先幕１９０Ｂは、いずれも下から上へ走行する。露光完了後は状態Ｃとなる。この状態でＣＭＯＳイメージセンサー１１０からのデータ転送を行う。露光中は状態Ｃを維持する。すなわち、第２電磁コイル１９０Ｎおよび第１電磁コイル１９０Ｍへの通電を継続する。
【０１０７】
その後、連写を行わずに次のレリーズ釦１３１の操作を待機する場合は、カメラコントローラー１４０は、シャッターモーターによってカム部材１９０Ｕを回転し、開口状態（状態Ｂ）を保持する。
【０１０８】
一方、連写を行う場合には、カメラコントローラー１４０は状態Ｃから、シャッターユニット１９０を、再度開口状態を機械的に保持するように制御し、さらに第１電磁コイル１９０Ｍ第２電磁コイル１９０Ｎおよび第４電磁コイル１９１Ｃに通電する（状態Ｂ’’’）。ここで状態Ｃから状態Ｂ’’’への遷移は、状態Ａからの遷移に比較して高速に遷移させることができる。
【０１０９】
状態Ｂ’’’から続いてシャッターユニット１９０を制御してチャージレバー保持による開口状態（状態Ｇ）を経て電子先幕および先幕１９０Ｂを走行し（状態Ｉ）、ＣＭＯＳイメージセンサー１１０を露光する。以降、使用者がレリーズ釦１３１の押下を終了するまでこのシャッター動作を連続して行うことにより、連写を行う。
【０１１０】
以上の動作によりカメラシステム１は、ノーマリオープンシャッタによるライブビュー表示から、電子先幕およびメカ先幕を後幕として使用して撮影動作を行うことができる。この方式によれば、ライブビュー表示から先幕１９１Ｂを上方に移動させて走行準備状態（状態Ｃ）とする必要がなく、露光の直前までライブビュー表示を継続することが出来、ライブビュー表示の視認性を向上することができる。
【０１１１】
また、連写においては、２−１．で説明したメカ先幕、メカ後幕による連写動作よりも高速な連写を実現できる。これは、データ転送後の状態Ｂ’’への遷移が、状態Ａからの遷移が必要であるメカ先幕、メカ後幕による連写動作に対し、状態Ｃからの遷移となる電子先幕、メカ先幕による連写動作のほうが要する時間が短くて済むという理由による。
【０１１２】
（２−３：電子先幕、メカ先幕による撮影動作（省電力動作））
図５Ｃは、電子先幕およびメカ先幕による撮影動作時における、他のシーケンス図である。２−２．で説明した電子先幕、メカ先幕による撮影動作と異なる部分は、露光後に第２電磁コイル１９０Ｎおよび第１電磁コイル１９０Ｍへの通電を順次遮断することである。したがって、露光後の動作について説明する。
【０１１３】
露光完了後、第２電磁コイル１９０Ｎおよび第１電磁コイル１９０Ｍへの通電を順次遮断する。こうすることにより先幕１９０Ｂおよび後幕１９０Ａは下方向に走行し、閉口状態（状態Ａ）となる。したがって、データ転送期間中に第２電磁コイル１９０Ｎおよび第１電磁コイル１９０Ｍへの通電を継続することはない。このため、２−２．で説明した電子先幕、メカ先幕による撮影動作よりも消費電力を削減できる。
【０１１４】
その後、連写を行わずに次のレリーズ釦１３１の操作を待機する場合は、開口状態（状態Ｂ）に遷移する。一方、連写を行う場合には状態Ｂ’’’に遷移する。
【０１１５】
以上の動作によりカメラシステム１は、ノーマリオープンシャッタによるライブビュー表示から、電子先幕およびメカ先幕を後幕として使用して撮影動作を行うことができ、さらに消費電力の削減を図ることができる。
【０１１６】
＜その他の実施の形態＞
以上により、実施形態を説明した。しかし、本発明は、これらには限定されない。そこで、本発明の他の実施形態を本欄にまとめて説明する。
【０１１７】
（Ａ）
実施形態では、シャッターユニット１９０は、後幕１９０Ａと先幕１９０Ｂとを有していたが、シャッター動作に電子先幕を使用し、先幕１９０Ｂを使用しない構成においては、先幕１９０Ｂを有していないものでもよい。逆に、シャッター動作に電子先幕を使用し、後幕１９０Ａを使用しない構成においては、後幕１９０Ａを有していないものでもよい。
【０１１８】
（Ｂ）
実施形態では、カメラモニタ１２０とＥＶＦ１８０の両方を有していたが、カメラモニタ１２０とＥＶＦ１８０の一方のみを有する構成でもよい。
【０１１９】
（Ｃ）
実施形態では、先幕１９０Ｂには第２係合部１９０Ｑが設けられ、一体となっている構成について説明したが、次のように構成されていてもよい。すなわち、第２係合部１９０Ｑがリンク機構等を介して先幕１９０Ｂと接続されていてもよい。また、第２バネ１９０Ｆは、第２係合部１９０Ｑに接続されていてもよい。
【０１２０】
同様に、後幕１９０Ａには第１係合部１９０Ｐが設けられ、一体となっている構成について説明したが、次のように構成されていてもよい。すなわち、第１係合部１９０Ｐがリンク機構等を介して後幕１９０Ａと接続されていてもよい。また、第１バネ１９０Ｅは、第１係合部１９０Ｐに接続されていてもよい。また、第１係合部１９０Ｐと後幕走行部材１９０Ｇは別の部材として構成されるものとして説明したが、これらが一体に構成されていてもよい。その場合、第１バネ１９０Ｅは不要となる。
【０１２１】
（Ｄ）
実施形態において各部材の相関関係が等価であれば、直線運動を行うものとして説明した各部材は、回転運動等を行うように構成してもよいし、逆に回転運動を行うものとして説明した各部材は、直線運動を行うように構成してもよい。
【０１２２】
（Ｅ）
実施形態としては、シャッター速度が所定の速度より速いときは、メカ先幕−メカ後幕による露光、シャッター速度が所定の速度以下のときは、各実施形態のように電子先幕−メカ先幕（メカ後幕）による露光、というように、設定されたシャッター速度に応じて、メカ先幕と電子先幕での露光を使い分けてもよい。ここで、シャッター速度が所定の速度より速いとは、たとえばシャッター速度１／８０００より速い場合等であり、これは使用者が設定可能としてもよい。
【産業上の利用可能性】
【０１２３】
本発明は、ライブビュー表示の視認性および連写速度を向上できるため、デジタルスチルカメラ等にも適用可能である。
【符号の説明】
【０１２４】
１    カメラシステム
１００、３００    カメラ本体
１１０    ＣＭＯＳイメージセンサー
１１１    ＡＤコンバーター
１１２    タイミング発生器
１２０    カメラモニタ
１３０    操作部
１３１    レリーズ釦
１３２    電源スイッチ
１４０    カメラコントローラー
１４１    ＤＲＡＭ
１５０    ボディマウント
１６０    電源
１７０    カードスロット
１７１    メモリーカード
１８０    電子ビューファインダー
１９０    シャッターユニット
１９０Ａ    後幕
１９０Ｂ    先幕
１９０Ｃ    シャッター保持枠
２００    レンズユニット
２１０    ズームレンズ
２１３    ズームリング
２３０    フォーカスレンズ
２３３    フォーカスモータ
２３４    フォーカスリング
２４０    レンズコントローラー
２４１    ＤＲＡＭ
２４２    フラッシュメモリ
２５０    レンズマウント
２９０    レンズ筒
【図１】
2011013539.tif 000003
【図２】
2011013539.tif 000004
【図３】
2011013539.tif 000005
【図４Ａ】
2011013539.tif 000006
【図４Ｂ】
2011013539.tif 000007
【図５Ａ】
2011013539.tif 000008
【図５Ｂ】
2011013539.tif 000009
【図５Ｃ】
2011013539.tif 000010
【図６Ａ】
2011013539.tif 000011
【図６Ｂ】
2011013539.tif 000012
【図６Ｃ】
2011013539.tif 000013
【図６Ｄ】
2011013539.tif 000014
【図６Ｅ】
2011013539.tif 000015
【図６Ｆ】
2011013539.tif 000016
【図６Ｇ】
2011013539.tif 000017
【図６Ｈ】
2011013539.tif 000018
【図６Ｉ】
2011013539.tif 000019
【図７】
2011013539.tif 000020